(57)【要約】【課題】側面シートが位置する領域に重なるようにして注出口具を取り付けるときに、側面シートのシート縁部の位置が定まり易くなるようにし、注出口具の取り付けが簡単に行えるようにする。【解決手段】一方の平面シート４と他方の平面シート５との間での袋本体２の一方の袋側方となる部分に、上辺傾斜部６の下端位置となる部分を切り欠いた切り欠き部１５を有して二つ折りされた一方の側面シート６を配し、一方の平面シート４と他方の平面シート５との間での袋本体２の他方の側方となる部分に、二つ折りされた他方の側面シート７を配し、袋本体２での側辺と下辺と上辺となる部分ヒートシールにて融着して、上辺傾斜部１２の下端位置で一方の平面シート４と他方のシート５が連結された袋本体２を形成し、この袋本体２の上辺傾斜部１２の内側に注出口具３を挟み込みの状態にしてヒートシールにて融着する。【選択図】図６
2017218166.tif 000002
【特許請求の範囲】
【請求項１】
相対する二面の平面シートとこの平面シートの間に二つ折りして折り入れられていて平面シートの幅方向に相対する二面の側面シートとからなり、前記平面シートの相対するシート縁部同士が融着され、平面シートと側面シートとの相対するシート縁部同士が融着されている袋本体と、前記袋本体の上辺の一端側を傾斜させた上辺傾斜部に取り付けられている注出口具とを有する注出口具付きガゼット袋を製造するにおいて、
一方の平面シートと他方の平面シートとの間での袋本体の一方の側方となる部分に、前記上辺傾斜部の下端位置となる部分を切り欠いた切り欠きを有して二つ折りされた一方の側面シートを配し、前記一方の平面シートと他方の平面シートとの間での袋本体の他方の側方となる部分に、二つ折りされた他方の側面シートを配する重ね合わせ工程と、
他方の平面シートと一方の側面シートにおける前記他方の平面シートに相対する半面シートとを、前記上辺傾斜部に対応する部分で融着する上辺傾斜部融着工程と、
一方の平面シートと他方の平面シートとの間に前記一方の側面シートを配した重ね合わせの部分を、前記上辺傾斜部に対応する部分に沿った位置で切断して、余剰部の除去により、上辺傾斜部に対応する部分にシート縁部を形成するコーナーカット工程と、
一方の側面シートでの前記切り欠きに対応する箇所を含めて、平面シートの相対するシート縁部同士を融着し、平面シートと側面シートとの相対するシート縁部同士を融着して、前記一方の平面シートと他方のシートを上辺傾斜部の下端位置で連結した袋本体を形成する辺部融着工程と、
前記上辺傾斜部での一方の平面シートと一方の側面シートにおける前記一方の平面シートに相対する半面シートとの間に注出口具を配して、この注出口具を挟み込んだ状態で一方の平面シートのシート縁部と一方の側面シートにおける前記一方の平面シートに相対する半面シートのシート縁部とを融着する注出口具取付工程とを備えることを特徴とする注出口具付きガゼット袋の製造方法。
【請求項２】
上記他方の側面シートは、上記袋本体の上辺の上辺傾斜部とは反対側の端部位置となる部分を切り欠いた切り欠きを有しており、上記袋本体辺部融着工程で、上記一方の平面シートと他方のシートを、前記上辺傾斜部とは反対側の端部位置で連結する請求項１に記載の注出口具付きガゼット袋の製造方法。
【請求項３】
相対する二面の平面シートとこの平面シートの間に二つ折りして折り入れられていて平面シートの幅方向に相対する二面の側面シートとからなり、前記平面シートの相対するシート縁部同士が融着され、平面シートと側面シートとの相対するシート縁部同士が融着されている袋本体と、前記袋本体の上辺の一端側を傾斜させた上辺傾斜部に取り付けられている注出口具とを有する注出口具付きガゼット袋において、
前記上辺傾斜部は、一方の平面シートのシート縁部とこの一方の平面シートのシート縁部に相対する側面シートのシート縁部とをこの相対するシート縁部の間に前記注出口具を挟み込みした状態で融着した注出口具側傾斜融着辺と、他方の平面シートのシート縁部とこの他方の平面シートのシート縁部に相対する側面シートのシート縁部とを融着した傾斜融着辺とからなり、
前記上辺傾斜部における注出口具側傾斜融着辺での一方の平面シートと前記傾斜融着辺での他方の平面シートとを上辺傾斜部の下端位置で融着した融着部を有し、
前記注出口具側傾斜融着辺と前記傾斜融着辺とが前記融着部を介して連結されて、注出口具側傾斜融着辺と傾斜融着辺との間が展開不能に閉じられていることを特徴とする注出口具付きガゼット袋。
【請求項４】
上記袋本体の上辺の他端側の上辺直線部は、一方の平面シートのシート縁部とこの一方の平面シートのシート縁部に相対する側面シートのシート縁部とを融着した一方の直線融着辺と、他方の平面シートのシート縁部とこの他方の平面シートのシート縁部に相対する側面シートのシート縁部とを融着した他方の直線融着辺とからなり、
前記上辺直線部における一方の直線融着辺での一方の平面シートと他方の直線融着辺での他方の平面シートとを上辺傾斜部の端部位置で融着した融着部を有し、
前記一方の直線融着辺と前記他方の直線融着辺とが前記融着部を介して連結されて、一方の直線融着辺と他方の直線融着辺との間が展開不能に閉じられている請求項３に記載の注出口具付きガゼット袋。
【請求項５】
上記袋本体の上辺で側面シートのシート縁部の二つ折りして同一位置となる部分に切り欠き部が設けられていて、この切り欠き部の部分に、一方の平面シートと他方の平面シートとが融着されている上記融着部が位置している請求項３または４に記載の注出口具付きガゼット袋。
【請求項６】
上記注出口具は、上記注出口具側傾斜融着辺での上記融着部側に偏倚している請求項３から５のいずれか一項に記載の注出口具付きガゼット袋。
【請求項７】
上記袋本体の上辺に持ち手部が設けられていて、該持ち手部は、袋本体の上辺から上方に延設した平面シートと側面シートとの延設部分に切り込み形成してなるものであり、この持ち手部の形成位置の少なくとも一部分に、平面シートと側面シートとが重ね合わされている領域が含まれている請求項３から６の何れか一項に記載の注出口具付きガゼット袋。
【請求項８】
上記袋本体の下辺で上記平面シートと上記側面シートとのシート縁部が融着されている部分において、側面シートのシート縁部の二つ折りして同一位置となる部分に切り欠き部が設けられていて、袋本体の下辺での平面シートの前記切り欠き部の位置で相対するシート縁部同士が融着されている請求項３から７の何れか一項に記載の注出口具付きガゼット袋。
【発明の詳細な説明】
【技術分野】
【０００１】
本発明は液体製品、例えば液体洗剤や柔軟剤などのトイレタリー用品、食用油やソースなどの液体調味料、インスタントコーヒーなどの食品、エンジンオイルなどの工業製品が例として挙げられるような液体や粉体、顆粒を収納でき、片手にて取り扱える程度に容量が大きい形態にも対応できる注出口具付きガゼット袋の製造方法と注出口具付きガゼット袋に関するものである。
【背景技術】
【０００２】
従来から柔軟性を有するシートの貼り合わせによって製造された袋には、袋本体の上辺の一方の端部に注出口具を位置させたスタンディングパウチや平パウチと称されるタイプの袋が使用されて多く流通している。スタンディングパウチタイプの袋は、袋正面と袋背面となる二面の平面シートとこの二面の平面シートの間に二つ折りして折り入れた一面の底面シートとの相対するシート縁部を溶着していて、注出口具については袋本体の上辺一隅となる部分で平面シートのシート縁部の間に挟み込んだ状態で溶着して取り付けられている。
【０００３】
平パウチタイプの袋にあっても、二面の平面シートの相対するシート縁部を溶着して袋本体とし、注出口具はその袋本体の上辺一隅となる部分で平面シートのシート縁部の間に挟み込んだ状態にして溶着して取り付けられている。
【０００４】
また容量を大きくしたタイプにはガゼット袋があって、柔軟性のあるシートの貼り合わせによって製造されており、袋正面と袋背面となる二面の平面シートの間に袋本体の幅方向に対向させて二つ折りした袋側面となる二面の側面シートを配して重ね合わせ、この重ね合わせで相対するシート縁部同士を融着して袋本体が構成されている。このガゼット袋での注出口具については、一般的には袋本体の上辺中央で相対する平面シートのシート縁部の間に注出口具を挟み込んだ状態にし、シート縁部同士を融着し、これによって注出口具が取り付けられている。
【０００５】
ガゼット袋は、折り入れられた二面の側面シートが袋側面となってこの側面シートが展開することで大きな容量を有するようになる袋である。また収納物を充填することで袋の底部に据え置きできる面が形成されて自立できるものがあり、従来から多く流通している。
【０００６】
さらに袋本体に注出口具が取り付けられているガゼット袋が、例えば特許文献１に示されている。特許文献１に示されている注出口具付きガゼット袋にあっては、袋正面と袋背面となる相対する二枚の平面シートの間に、平面シートの幅方向（袋の幅方向）に相対するようにして側面シートが配されていて、この側面シートは前記平面シートの間に二つ折りにして折り入れられている。さらに二枚の平面シートの底部側の間に別シートとして底面シートも折り入れられている。
【０００７】
特許文献１のガゼット袋は、重ね合わせによって相対するシート縁部がヒートシールによって融着されているものであって、平面シートの相対するシート縁部同士が融着され、また平面シートと側面シートとの相対するシート縁部同士や、平面シートと底面シートとの相対するシート縁部同士、側面シートと底面シートとの相対するシール縁同士を融着して袋本体を形成する点が示されている。そして袋本体の上部側の一隅を角立つ形状とはせずに、直線状に傾斜していて、平面シートの相対する傾斜シート縁部の間に注出口具を位置させ、この状態で一体に融着することで注出口具を袋本体に取り付けている。
【０００８】
またこの特許文献１に示された注出口具付きのガゼット袋では、注出口具が位置する側の側面シートの上部を、その側面シートの中央部分となる位置から袋外方に折り出す工夫が示されている。
【０００９】
さらに特許文献２では、二つ折りの側面シートそれぞれを袋本体の中段となる高さ位置で二つ折りの状態のままで袋本体の側辺に向けて折り曲げて、折り曲げ部分の側辺を袋本体の側辺の位置で一体に融着しており、側面シートそれぞれを袋本体の上辺までには達しさせないようにして、側面シートの折り込み線の間隔を、袋高さ方向の中段付近より下方では、袋本体の上辺で注出口具が取り付けられている部分の幅より小さくし、袋高さ方向の中段から上方では注出口具の取り付け部分の幅より大きくなるようにした工夫が示されている。
【先行技術文献】
【特許文献】
【００１０】
【特許文献１】特開２０１３−２３３９８７号公報
【特許文献２】特開２０１４−１８４９８２号公報
【発明の開示】
【発明が解決しようとする課題】
【００１１】
注出口付きのガゼット袋において収納物を注ぎ出す上では、上述の特許文献１に示されているように袋本体の上辺の一端側に注出口具が偏っている方が有利である。そしてガゼット袋を製造するときの注出口具の取り付けの際に、二つ折りされた側面シートが注出口具と干渉することから、上記特許文献１では、注出口具の一部分に側面シートの尖頭部分を重ねる配置としたり、側面シートの上部を袋側方に向けて折り出すという技術が示されている。
【００１２】
しかしながら、側面シートを配置した領域に重なるようにして注出口具の取付を行おうとすると、注出口具回りのシート縁部の位置が定まり難く、その注出口具の取付が手作業では可能であるが、自動化は難しいという問題がある。
【００１３】
そこで上記事情に鑑み、側面シートが位置する領域に重なるようにして注出口具を取り付けるときに、側面シートのシート縁部の位置が定まり易くなるようにすることを課題とし、注出口具の取り付けが簡単に行えるようにすることを目的とするものである。
【課題を解決するための手段】
【００１４】
（請求項１の発明）
本発明は上記課題を考慮してなされたもので、相対する二面の平面シートとこの平面シートの間に二つ折りして折り入れられていて平面シートの幅方向に相対する二面の側面シートとからなり、前記平面シートの相対するシート縁部同士が融着され、平面シートと側面シートとの相対するシート縁部同士が融着されている袋本体と、前記袋本体の上辺の一端側を傾斜させた上辺傾斜部に取り付けられている注出口具とを有する注出口具付きガゼット袋を製造するにおいて、
一方の平面シートと他方の平面シートとの間での袋本体の一方の側方となる部分に、前記上辺傾斜部の下端位置となる部分を切り欠いた切り欠きを有して二つ折りされた一方の側面シートを配し、前記一方の平面シートと他方の平面シートとの間での袋本体の他方の側方となる部分に、二つ折りされた他方の側面シートを配する重ね合わせ工程と、
他方の平面シートと一方の側面シートにおける前記他方の平面シートに相対する半面シートとを、前記上辺傾斜部に対応する部分で融着する上辺傾斜部融着工程と、
一方の平面シートと他方の平面シートとの間に前記一方の側面シートを配した重ね合わせの部分を、前記上辺傾斜部に対応する部分に沿った位置で切断して、余剰部の除去により、上辺傾斜部に対応する部分にシート縁部を形成するコーナーカット工程と、
一方の側面シートでの前記切り欠きに対応する箇所を含めて、平面シートの相対するシート縁部同士を融着し、平面シートと側面シートとの相対するシート縁部同士を融着して、前記一方の平面シートと他方のシートを上辺傾斜部の下端位置で連結した袋本体を形成する辺部融着工程と、
前記上辺傾斜部での一方の平面シートと一方の側面シートにおける前記一方の平面シートに相対する半面シートとの間に注出口具を配して、この注出口具を挟み込んだ状態で一方の平面シートのシート縁部と一方の側面シートにおける前記一方の平面シートに相対する半面シートのシート縁部とを融着する注出口具取付工程とを備えることを特徴とする注出口具付きガゼット袋の製造方法を提供して、上記課題を解消するものである。
【００１５】
（請求項２の発明）
上記注出口具付きガゼット袋の製造方法において、上記他方の側面シートは、上記袋本体の上辺の上辺傾斜部とは反対側の端部位置となる部分を切り欠いた切り欠きを有しており、上記袋本体辺部融着工程で、上記一方の平面シートと他方のシートを、前記上辺傾斜部とは反対側の端部位置で連結することが良好である。
【００１６】
（請求項３の発明）
もう一つの発明は、相対する二面の平面シートとこの平面シートの間に二つ折りして折り入れられていて平面シートの幅方向に相対する二面の側面シートとからなり、前記平面シートの相対するシート縁部同士が融着され、平面シートと側面シートとの相対するシート縁部同士が融着されている袋本体と、前記袋本体の上辺の一端側を傾斜させた上辺傾斜部に取り付けられている注出口具とを有する注出口具付きガゼット袋において、
前記上辺傾斜部は、一方の平面シートのシート縁部とこの一方の平面シートのシート縁部に相対する側面シートのシート縁部とをこの相対するシート縁部の間に前記注出口具を挟み込みした状態で融着した注出口具側傾斜融着辺と、他方の平面シートのシート縁部とこの他方の平面シートのシート縁部に相対する側面シートのシート縁部とを融着した傾斜融着辺とからなり、
前記上辺傾斜部における注出口具側傾斜融着辺での一方の平面シートと前記傾斜融着辺での他方の平面シートとを上辺傾斜部の下端位置で融着した融着部を有し、
前記注出口具側傾斜融着辺と前記傾斜融着辺とが前記融着部を介して連結されて、注出口具側傾斜融着辺と傾斜融着辺との間が展開不能に閉じられていることを特徴とする注出口具付きガゼット袋であり、この注出口具付きガゼット袋を提出して上記課題を解消するものである。
【００１７】
（請求項４の発明）
そして上記発明の注出口具付きガゼット袋において、上記袋本体の上辺の他端側の上辺直線部は、一方の平面シートのシート縁部とこの一方の平面シートのシート縁部に相対する側面シートのシート縁部とを融着した一方の直線融着辺と、他方の平面シートのシート縁部とこの他方の平面シートのシート縁部に相対する側面シートのシート縁部とを融着した他方の直線融着辺とからなり、
前記上辺直線部における一方の直線融着辺での一方の平面シートと他方の直線融着辺での他方の平面シートとを上辺傾斜部の端部位置で融着した融着部を有し、
前記一方の直線融着辺と前記他方の直線融着辺とが前記融着部を介して連結されて、一方の直線融着辺と他方の直線融着辺との間が展開不能に閉じられているものとすることが可能である。
【００１８】
（請求項５の発明）
また上記発明の注出口具付きガゼット袋において、上記袋本体の上辺で側面シートのシート縁部の二つ折りして同一位置となる部分に切り欠き部が設けられていて、この切り欠き部の部分に、一方の平面シートと他方の平面シートとが融着されている上記融着部が位置しているものとすることが可能である。
【００１９】
（請求項６の発明）
また上記発明の注出口具付きガゼット袋において、上記注出口具は、上記注出口具側傾斜融着辺での上記融着部側に偏倚しているものとすることが可能である。
【００２０】
（請求項７の発明）
また上記発明の注出口具付きガゼット袋において、上記袋本体の上辺に持ち手部が設けられていて、該持ち手部は、袋本体の上辺から上方に延設した平面シートと側面シートとの延設部分に切り込み形成してなるものであり、この持ち手部の形成位置の少なくとも一部分に、平面シートと側面シートとが重ね合わされている領域が含まれているものとすることが可能である。
【００２１】
（請求項８の発明）
また上記発明の注出口具付きガゼット袋において、上記袋本体の下辺で上記平面シートと上記側面シートとのシート縁部が融着されている部分において、側面シートのシート縁部の二つ折りして同一位置となる部分に切り欠き部が設けられていて、袋本体の下辺での平面シートの前記切り欠き部の位置で相対するシート縁部同士が融着されているものとすることが可能である。
【発明の効果】
【００２２】
本発明の注出口具付きガゼット袋の製造方法によれば、袋本体の上辺傾斜部の部分において、他方の平面シートと一方の側面シートの片面シートとを融着し、一方の平面シートと他方のシートを上辺傾斜部の下端位置で連結した後に、注出口具を上辺傾斜部での一方の平面シートと一方の側面シートの片面シートとの間に挟み込むようにする。このように上辺傾斜部において側面シートが他方の平面シート側に重ね合わされた状態となっているため、注出口具を取り付けるときには側面シートが邪魔にならす、注出口具の取付に際して自動化が図り易くなるという効果を奏する。
【００２３】
また本発明の注出口具付きガゼット袋によれば、上辺傾斜部において、注出口具が融着して取り付けられている辺とこの注出口具が取り付けられていない辺とはその間が展開することなく閉じられているので、袋の外観が損なわれない。そして注出口具が特許文献１の図１３などに示されているような一方の平面シート側となる偏りを持った取り付けとはならず、袋本体の上辺の線上に位置するものとなる。よって注ぎ出す方向を定め易くなるという効果を奏する。
【図面の簡単な説明】
【００２４】
【図１】本発明に係る注出口具付きガゼット袋の実施の形態を一部切り欠いて示す説明図である。
【図２】実施の形態の使用状態を示す説明図である。
【図３】製造方法の実施の形態における重ね合わせ工程での状態を示すもので、（Ａ）は上辺側の切り欠き部位置での重ね合わせ状態を概略的な断面で示す説明図、（Ｂ）は側方から見た状態を示す説明図である。
【図４】同じく上辺傾斜部融着工程での状態を示すもので、（Ａ）は上辺側の切り欠き部位置での重ね合わせ状態を概略的な断面で示す説明図、（Ｂ）は側方から見た状態を示す説明図である。
【図５】同じくコーナーカット工程での状態を示すもので、（Ａ）は上辺側の切り欠き部位置での重ね合わせ状態を概略的な断面で示す説明図、（Ｂ）は側方から見た状態を示す説明図である。
【図６】同じく辺部融着工程での状態を示すもので、（Ａ）は上辺側の切り欠き部位置での重ね合わせ状態を概略的な断面で示す説明図、（Ｂ）は側方から見た状態を示す説明図である。
【図７】同じく注出口具取付工程の状態を示すもので、（Ａ）は上辺側の切り欠き部位置での重ね合わせ状態を概略的な断面で示す説明図、（Ｂ）は側方から見た状態を示す説明図である。
【発明を実施するための形態】
【００２５】
つぎに本発明を図１から図７に示す実施の形態に基づいて詳細に説明する。図中１は注出口具付きガゼット袋で、該ガゼット袋１は袋内方側をシーラント層とするシートを重ね合わせて所要部位を融着することにより成形された袋本体２と、袋本体２に融着して取り付けられた合成樹脂製の注出口具３とを備えてなるものである。
【００２６】
上記袋本体２は、図１に示されているように袋正面と袋背面となる相対する二面の平面シート４、５とこの平面シート４、５の間に二つ折りして折り入れられていて平面シート４、５の幅方向（袋幅方向）に相対する二面の側面シート６、７とからなる。
【００２７】
図示されているように二つ折りされた一方の側面シート６は、注出口具３が位置する袋本体２の一方の袋側方にして二面の平面シート４、５の間に配され、二つ折りされている他方の側面シート７は、注出口具側とは反対である袋本体２の他方の袋側方にして前記二面の平面シート４、５の間に配されている。
【００２８】
そして平面シート４、５の相対するシート縁部同士が融着され、平面シート４、５と側面シート６、７とで相対するシート縁部同士が融着されて、袋本体２が形成されている。
【００２９】
図示の実施の形態では、二面の平面シート４、５それぞれの左右の側端縁であるシート縁部と、二つ折りされて折り入れられている二面の側面シート６、７それぞれの袋側方側の側端縁であるシート縁部とが直接に相対していて、この平面シート４、５の側端縁のシート縁部と側面シート６、７の側端縁のシート縁部とをヒートシールにより融着した融着部分が、袋本体２の高さ方向に亘る側辺８として形成されている。
【００３０】
また袋本体２の幅方向に亘る下辺９は、二面の平面シート４、５それぞれの下端縁であるシート縁部が相対している間に二つ折りの側面シート６、７それぞれの下端縁であるシート縁部が配された状態である。この袋本体２の幅方向に亘る下辺９において、直接に相対する平面シート４、５の下端縁のシート縁部と側面シート６、７の下端縁のシート縁部とはヒートシールにより融着され、左右の側面シート６、７の間の部分で直接に相対する平面シート４、５の下端縁のシート縁部同士がヒートシールにより融着されている。
【００３１】
さらに袋本体２の下辺９側には、袋本体２の内部が広がるときに側面シート６，７の下部側が折れ込みし易くするための傾斜融着部１０が設けられていて、下辺９に側辺シート６、７の中央折り込み線が交差する位置から側辺８にかけて正面シート４、５と側面シート６、７とを、傾斜した帯状にヒートシールにより融着している。
【００３２】
（袋本体の上辺）
実施の形態のガゼット袋１では、袋本体２の幅方向に亘る上辺１１も、基本的には下辺９と同じく二面の平面シート４、５それぞれの上端縁であるシート縁部が相対している間に二つ折りの側面シート６、７それぞれの上端縁であるシート縁部が配された状態である。そしてこの上辺１１において、直接に相対する平面シート４、５の上端縁のシート縁部と側面シート６、７の上端縁のシート縁部とはヒートシールにより融着され、左右の側面シート６、７の間の部分で直接に相対する平面シート４、５の上端縁のシート縁部同士がヒートシールにより融着されている。
【００３３】
（上辺傾斜部）
さらに実施の形態では図示されているように上辺１１には、注出口具取付側となる一端側を直線状に傾斜させた上辺傾斜部１２があり、この上辺傾斜部１２に上記注出口具３が位置している。この上辺傾斜部１２は二面の平面シート４、５と二つ折りされた一方の側面シート６とが重なっている領域に位置している。そして側面シート６自体は袋外面側にはシーラント層を有していないことから、前記上辺傾斜部１２は、注出口具３が取り付けられている注出口具側傾斜融着辺１３と注出口具が存在しない傾斜融着辺１４とに分かれていて、この注出口具側傾斜融着辺１３と傾斜融着辺１４とが後述するように重なっているものである。
【００３４】
上辺傾斜部１２の注出口具側傾斜融着辺１３は、一方の平面シート４での上辺傾斜部１２側のシート縁部と、側面シート６における半面シート６ａ（一方の平面シート４側）での上辺傾斜部１２側のシート縁部とが相対し、この相対するシート縁部の間に注出口具３を挟み込みした状態で融着してなる辺である。
【００３５】
また上辺傾斜部１２の傾斜融着辺１４は、他方の平面シート５での上辺傾斜部１２側のシート縁部と、この他方の平面シート５のシート縁部に相対する側面シート６の半面シート６ｂ（他方の平面シート５側）での上辺傾斜部１２側のシート縁部とが相対し、この両シート縁部を融着してなる辺である。
【００３６】
さらに実施の形態において、上述したように上記注出口具側傾斜融着辺１３と傾斜融着辺１４とが離れないようにしている。具体的には、一方の側面シート６で上辺傾斜部１２の下端位置となる部分を切り欠いた切り欠き部１５が設けられていて、側面シート６の半面シート６ａ、６ｂそれぞれで前記切り欠き部１５が同一位置とされ、側面シート６が二つ折りの状態で前記切り欠き部１５の位置が揃っている。
【００３７】
そしてこの切り欠き部１５の部分に、一方の平面シート４と他方の平面シート５とを融着した融着部１６が位置していて、この融着部１６を介して注出口具側傾斜融着辺１３と傾斜融着辺１４とが連結されている。
【００３８】
このように実施の形態でのガゼット袋１では、注出口具３が取り付けられている注出口具側傾斜融着辺１３と傾斜融着辺１４とを上辺傾斜部１２の下端位置で上記融着部１６を介して連結し、注出口具側傾斜融着辺１３と傾斜融着辺１４との間が展開不能に閉じられている。これによって上辺傾斜部１２が、注出口具側傾斜融着辺１３と傾斜融着辺１４とに分かれず、袋本体２の上辺１１を上面視で線状に保ってその上辺１１から注出口具３が突出位置する袋形状となるようにしている。
【００３９】
（上辺直線部の端部融着）
上辺１１の上辺傾斜部１２以外の部分は袋幅方向に亘る上辺直線部１７としている。上辺傾斜部１２とは反対の他端側となる上辺直線部１７にあっても、二面の平面シート４、５と二つ折りされた他方の側面シート７とが重なっている領域を含んでいる。そして他方の側面シート７も袋外面側にはシーラント層を有しておらず、上辺直線部１７で二つ折りされた側面シート７の一方の平面シート４に相対する半面シート７ａのシート縁部（上辺直線部側）と、他方の平面シート５に相対する半面シート７ｂのシート縁部（上辺直線部側）とが直接には融着しない。
【００４０】
そこでこの上辺直線部１７においても上記上辺傾斜部１２で構成された連結と同じ構成が施されている。まず、上辺直線部１７は一方の直線融着辺１８と他方の直線融着辺１９とが重ねあわされているものである。一方の直線融着辺１８は、一方の平面シート４のシート縁部とこの一方の平面シート４のシート縁部に相対する他方の側面シート７の半面シート７ａでのシート縁部とを融着した辺である。他方の直線融着辺１９は、他方の平面シート５のシート縁部とこの他方の平面シート５のシート縁部に相対する他方の側面シート７の半面シート７ｂでのシート縁部とを融着した辺である。
【００４１】
他方の側面シート７で上辺直線部１７の端部位置となる部分を切り欠いた切り欠き部１５が設けられていて、側面シート７の半面シート７ａ、７ｂそれぞれで前記切り欠き部１５が同一位置とされ、側面シート７が二つ折りの状態で前記切り欠き部１５の位置が揃っている。
【００４２】
そして上辺直線部１７での上記切り欠き部１５の部分に、一方の平面シート４と他方の平面シート５とを融着した融着部１６が位置していて、融着部１６を介して注出口具側傾斜融着辺１３と傾斜融着辺１４とが連結されているのと同様に、一方の直線融着辺１８と他方の直線融着辺１９とを上辺直線部１７の端部位置で融着部１６を介して連結し、直線融着辺１８と直線融着辺１９との間が展開不能に閉じられている。
【００４３】
（注出口具の偏倚）
袋本体２に取り付けられる注出口具３はこの袋本体２での袋側方に偏っていることが収納物を注ぎ出す上で良好である。そこで本実施の形態のガゼット袋１にあっては注出口具３が注出口具側傾斜融着辺１３での上記融着部１６側に偏倚している。
【００４４】
（袋本体底部補強）
実施の形態では、収納物を収納して袋本体２の下部にこの袋本体２を平面板などの上に据え置きできる広がった面の底部が形成される。そして、収納物を収納した状態で広がりのある底部において破袋が生じないように袋本体２の下辺９が補強されている。下辺９の補強は平面シート４、５同士を直接ヒートシールして融着した箇所を多くすることによって行われているものである。
【００４５】
具体的には、袋本体２の下辺９で平面シート４、５と側面シート６、７とのシート縁部が融着されている部分において、側面シート６、７のシート縁部の二つ折りして同一位置となる部分に切り欠き部２０を設けている。そして下辺９での平面シート４、５の切り欠き部２０の位置で相対するシート縁部同士をヒートシールにより融着している。勿論この切り欠き部２０は側辺シート６、７のシート縁部との融着部の範囲内に位置する。
【００４６】
このように下辺９における側面シート６，７が二つ折りして折り込まれている部分において切り欠き部２０を設け、平面シート４、５の下辺９でのシート縁部同士を融着しているので、袋本体２の底部が広がりの面を有する部分として形成されるとき、下辺９自体は側辺シート６，７が位置している部分でも開くことがなく、重ね合わせて強度を向上した下辺９を底部の範囲内に位置させておくことで、底部の不用意な変形を抑えて破袋を防止する。（図２）
【００４７】
なお、平面シート同士が切り欠き部２０の部分を通して直接融着すればよいものであるので、この切り欠き部２０の形状は限定されず、側面シートの一部を切り欠いたり透孔を設けたりすることが可能である。
【００４８】
（持ち手部）
実施の形態のガゼット袋１において、収納物が入った後の取り扱いをより安全に行えるようにする場合には持ち手部を設けるようにすることも可能であり、図２において持ち手部を有する構成が仮想線で示されている。
【００４９】
図示した例においては、袋本体２の上辺１１の位置から平面シート４、５、側面シート６、７それぞれが上方に延設されている。そして平面シート４、５の延設された上端辺となるシート縁部と側面シート６、７の延設された上端辺となるシート縁部とが直接相対し、また袋本体２の中央部分では平面シート４、５の延設された上端辺のシート縁部同士が直接相対し、ヒートシールにより融着している。
【００５０】
そして袋本体２の上辺１１からの延設部分に持ち手部２１が切り込み形成されている。この持ち手部２１は、大部分が平面シート４、５と側面シート６、７とが重ね合わされている領域に含まれるように配置することで、手掛けした際の強度を向上させることができる。この持ち手部２１は、側面シートが位置する領域が掛かるように配置される必要は必ずしもないが、大部分が側面シートが存在する領域に位置するように、或いは全てが側面シートが存在する領域に配置されることが望ましい。
【００５１】
（製造の方法）
本注出口具付きガゼット袋１を製造するにあたっては、その一例として次のように行なうことができる。
【００５２】
（重ね合わせ工程  図３）
まず、一方の平面シート４と他方の平面シート５との間での袋本体２の一方の袋側方となる部分に、二つ折りされた一方の側面シート６を配し、袋本体２の他方の袋側方となる部分に、二つ折りされた他方の側面シート７を配する。一方の側面シート６は、半面シート６ａ、６ｂに、袋本体２での上記上辺傾斜部１２の下端位置となる部分を切り欠いた切り欠き部１５が事前に形成されている。同じく他方の側面シート７は、半面シート７ａ、７ｂに、袋本体２での上記上辺直線部１７の端部位置となる部分を切り欠いた切り欠き部１５が事前に形成されている。
【００５３】
（上辺傾斜部融着工程  図４）
つぎに上辺傾斜部１２となる部分において、事前に二つ折りされた一方の側面シート６を他方の平面シート５側に固定する。この実施の形態では、他方の平面シート５と一方の側面シート６における他方の平面シート５に相対する半面シート６ｂとを、前記上辺傾斜部１２に対応する部分でヒートシールにて融着する。この融着される部分は袋本体２の形態において、他方の平面シート５での上辺傾斜部１２におけるシート縁部となり、一方の側面シート６の半面シート６ｂでの上辺傾斜部１２におけるシート縁部となる。
【００５４】
（コーナーカット工程  図５）
つぎに袋本体２での上辺傾斜部１２を形成するために不必要な部分を切除する工程となるものであって、上記一方の平面シート４と他方の平面シート５との間に上記二つ折り一方の側面シート６を配した重ね合わせの部分を、上辺傾斜部１２に対応する部分に沿った位置で切断して、余剰部の除去を行なう。この余剰部の除去によって上辺傾斜部１２に対応する部分にシート縁部が形成される。
【００５５】
（辺部融着工程  図６）
つぎに上部傾斜部１２での注出口具を配する部分以外の部分で相対しているシート縁部に対して融着を行なって袋本体２を形成する工程となるものであって、一方の側面シート６での上記切り欠き部１５に対応する箇所を含めて、平面シート４、５の相対するシート縁部同士をヒートシールにて融着し、また平面シート４、５と側面シート６、７との相対するシート縁部同士をヒートシールにて融着する。
【００５６】
この融着によって上部傾斜部１２の切り欠き部１５の位置、また上部直線部１７での切り欠き部１５の位置、さらに下辺９での切り欠き部２０の位置それぞれで相対する平面シート４、５のシール縁部同士が融着され、上辺傾斜部１２の下端位置で上記注出口具側傾斜辺１３と傾斜融着辺１４とが連結され、上辺直線部１７の端部位置で直線融着辺１８，１９が連結された袋本体２が得られる。
【００５７】
（注出口具取付工程  図７）
つぎに上辺傾斜部１２の一方の平面シート４と他方の平面シート５と間をバキューム装置などの手段を用いて広げ、上辺傾斜部１２での一方の平面シート４のシール縁部と一方の側面シート６における半面シート６ａのシート縁部との間に注出口具３を配する。この後、注出口具３を挟み込んだ状態で一方の平面シート４のシート縁部と前記半面シート６ａのシート縁部とをヒートシールにて融着することで、袋本体２に注出口具３が取り付けられて注出口具付きガゼット袋１が得られる。
【符号の説明】
【００５８】
１…注出口具付きガゼット袋
２…袋本体
３…注出口具
４…一方の平面シート
５…他方平面シート
６…一方の側面シート
６ａ、６ｂ…半面シート
７…他方の側面シート
７ａ、７ｂ…半面シート
８…袋本体の側辺
９…袋本体の下辺
１０…傾斜融着部
１１…袋本体の上辺
１２…上辺傾斜部
１３…注出口具側傾斜融着辺
１４…傾斜融着辺
１５…上辺での切り欠き部
１６…融着部
１７…上辺直線部
１８…一方の直線融着辺
１９…他方の直線融着辺
２０…下辺での切り欠き部
２１…持ち手部
【図１】
2017218166.tif 000003
【図２】
2017218166.tif 000004
【図３】
2017218166.tif 000005
【図４】
2017218166.tif 000006
【図５】
2017218166.tif 000007
【図６】
2017218166.tif 000008
【図７】
2017218166.tif 000009